(57)【要約】      （修正有）【課題】冷却するボトルの銘柄に関する情報をユーザーに視認性良く提示することができるボトル保管器を実現すること。【解決手段】ボトル保管器１００は、ボトル１を収容する収容部１０１と、ボトル収容部の周囲に設けられた冷温部（冷温装置）と、収容部に収容されたボトルを回転させる回転部（回転モータ）と、収容部に収容されたボトルを撮像する撮像部と、撮像部により得られたボトルの画像に基づいて回転部のボトルの回転と撮像部の撮像とを制御する制御部と、制御部の制御により得られたボトルの画像に基づいて少なくともボトルの銘柄を特定する情報管理部（保管器管理部）と、情報管理部により特定された銘柄及び銘柄に関する関連情報の少なくとも１つを出力する出力部（表示部１０２）と、を有する。【選択図】図１Ｂ
2018135152.tif 000002
【特許請求の範囲】
【請求項１】
ボトルを収容する収容部と、
前記収容部の周囲に設けられた冷温部と、
前記収容部に収容された前記ボトルを回転させる回転部と、
前記収容部に収容された前記ボトルを撮像する撮像部と、
前記撮像部により得られた前記ボトルの画像に基づいて前記回転部の前記ボトルの回転と前記撮像部の撮像とを制御する制御部と、
前記制御部の制御により得られた前記ボトルの画像に基づいて少なくとも前記ボトルの銘柄を特定する情報管理部と、
前記情報管理部により特定された前記銘柄及び前記銘柄に関する関連情報の少なくとも１つを出力する出力部と、
を備えるボトル保管器。
【請求項２】
前記制御部は、前記ボトルの画像における前記ボトルのラベルの映り具合に基づいて前記回転部の前記ボトルの回転を制御し、前記ボトルの回転に応じて前記撮像部の撮像を制御する、
請求項１に記載のボトル保管器。
【請求項３】
前記制御部は、前記ボトルの画像において前記ボトルのラベルが前記ボトルの銘柄を特定できる程度に映っていない場合、前記回転部に前記ボトルを回転させ、前記ボトルの回転に応じて前記撮像部に前記ボトルを撮像させる、
請求項２に記載のボトル保管器。
【請求項４】
前記ボトルのラベルが前記ボトルの銘柄を特定できる程度に映っているか否かは、前記ラベルの要素の認識の程度、及び前記ラベルのエッジの態様の少なくとも１つに基づいて判定される、
請求項３に記載のボトル保管器。
【請求項５】
前記制御部は、
前記回転部に所定角度毎に前記ボトルを回転させ、
前記撮像部に前記ボトルの所定角度の回転毎に前記ボトルを撮像させ、
前記ボトルの所定角度の回転毎に得られる前記ボトルの画像において前記ボトルのラベルが前記ボトルの銘柄を特定できる程度に映っている場合、前記回転部に前記回転部の回転を停止させる、
請求項３又は請求項４に記載のボトル保管器。
【請求項６】
前記収容部に収容された前記ボトルを昇降させる昇降部、をさらに備え、
前記制御部の制御は、前記昇降部の昇降の制御を含む、
請求項１から請求項５のいずれか一項に記載のボトル保管器。
【請求項７】
前記制御部は、前記ボトルの画像における前記ボトルのラベルの映り具合に基づいて前記回転部の前記ボトルの回転及び前記昇降部の前記ボトルの昇降を制御し、前記ボトルの回転及び昇降に応じて前記撮像部の撮像を制御する、
請求項６に記載のボトル保管器。
【請求項８】
前記制御部は、前記ボトルの画像において前記ボトルのラベルが前記ボトルの銘柄を特定できる程度に映っていない場合、前記回転部に前記ボトルを回転させるとともに前記昇降部に前記ボトルを昇降させ、前記ボトルの回転及び昇降に応じて前記撮像部に前記ボトルを撮像させる、
請求項７に記載のボトル保管器。
【請求項９】
複数の銘柄のラベル画像を格納する銘柄データベースを備え、
前記情報管理部は、前記撮像部により得られた前記ボトルのラベル画像と、前記銘柄データベースに格納されたラベル画像と、を照合することにより、前記ボトルの銘柄を特定する、
請求項１から請求項８のいずれか一項に記載のボトル保管器。
【請求項１０】
前記出力部は、前記情報管理部によって特定された前記銘柄、及び、特定された前記銘柄に関する関連情報の少なくとも１つを表示する表示部を含む、
請求項１から請求項９のいずれか一項に記載のボトル保管器。
【請求項１１】
前記情報管理部によって特定された前記銘柄、及び、特定された前記銘柄に関する関連情報の少なくとも１つを外部機器に送信する通信部を、さらに備える、
請求項１から請求項１０のいずれか一項に記載のボトル保管器。
【請求項１２】
前記収容部に挿入されたボトルに関するログ情報を記憶するログ情報記憶部を、さらに備える、
請求項１から請求項１１のいずれか一項に記載のボトル保管器。
【請求項１３】
複数の銘柄のラベル画像を格納する銘柄データベースを備え、
前記情報管理部は、前記撮像部により得られた前記ボトルのラベル画像と、前記銘柄データベースに格納されたラベル画像と、を照合することにより、前記ボトルの銘柄を特定し、
前記ログ情報記憶部は、少なくとも、前記情報管理部によって特定された前記銘柄を前記ログ情報として記憶する、
請求項１２に記載のボトル保管器。
【請求項１４】
ユーザーの前記銘柄に対するお気に入り度を入力可能な操作入力部を、さらに備え、
前記ログ情報記憶部は、前記銘柄に紐付けて前記お気に入り度を記憶する、
請求項１３に記載のボトル保管器。
【請求項１５】
前記表示部によって表示される前記銘柄に関する関連情報は、少なくとも、マッチする料理、味、蔵元情報、及び、お気に入り度のいずれか一つを含む、
請求項１０に記載のボトル保管器。
【請求項１６】
前記通信部によって送信される前記銘柄に関する関連情報は、少なくとも、マッチする料理、味、蔵元情報、及び、お気に入り度のいずれか一つを含む、
請求項１１に記載のボトル保管器。
【請求項１７】
湾曲ミラーを、さらに備え、
前記撮像部は、前記湾曲ミラーを介して前記ボトルを撮像する、
請求項１から請求項１６のいずれか一項に記載のボトル保管器。
【請求項１８】
ボトル保管器と情報処理装置とを備えるシステムであって、
前記ボトル保管器は、
ボトルを収容する収容部と、
前記収容部の周囲に設けられた冷温部と、
前記収容部に収容された前記ボトルを回転させる回転部と、
前記収容部に収容された前記ボトルを撮像する撮像部と、
前記撮像部により得られた前記ボトルの画像を送信し、前記ボトルの画像についての認識結果及び前記ボトルの銘柄に関する関連情報を受信する通信部と、
前記認識結果に基づいて前記回転部の前記ボトルの回転と前記撮像部の撮像を制御する制御部と、
前記銘柄に関する関連情報を出力する出力部と、
を備え、
前記情報処理装置は、
前記ボトルの画像を受信し、前記認識結果及び前記銘柄に関する関連情報を送信する通信部と、
前記ボトルの画像に映る物体を認識し、前記ボトルの画像に基づいて少なくとも前記ボトルの銘柄を特定する情報管理部と、
を備えるシステム。
【発明の詳細な説明】
【技術分野】
【０００１】
本発明は、ワインボトル等のボトルを保管するボトル保管器、及びこのボトル保管器を用いたシステムに関する。
【背景技術】
【０００２】
ワインは世界中で愛飲されている。また、日本酒（SAKE）も世界中に普及し始めており、ワインとほぼ同様の大きさのボトル（四合瓶）に入れられて流通している。
【０００３】
ワインを一定温度で保管できるものとして、ワインセラーがある。一般に普及しているワインセラーは、コンプレッサ等を用いて電気的にワインを冷やす。ワインセラーは温度管理には優れているが、大型であり持ち運びに手間がかかり、さらにコンプレッサやファンの音が発生するので、卓上用として用いるには適さない場合が多い。
【０００４】
そこで、卓上用のボトル保管器として、氷水でワインを冷やすワインクーラーがある。しかし、氷水を用いたワインクーラーはワインが適温（例えば５℃〜２０℃）よりも冷えすぎてしまう欠点がある。また、氷水にワインを浸すと、ボトルが濡れるのでボトルを持ちにくく、さらに、ラベルが濡れるのでラベルの視認性が悪くなるおそれもある。
【０００５】
このような不都合を解決する一つの方法として、特許文献１では、保冷容器の内壁に保冷材を着脱自在に固定できるワインクーラーが提案されている。特許文献１では、保冷材の数量や大きさを調整することにより、柔軟に温度調節が可能となる旨が記載されている。また、特許文献１のワインクーラーは、ワインボトルと保冷材の間にワインボトルのラベルが視認できる程度の空間を有する形状とされており、これにより、ワインクーラー内にワインボトルが収容された状態でもワインボトルのラベルを視認できるようになっている。
【先行技術文献】
【特許文献】
【０００６】
【特許文献１】特許第４４０６６８３号公報
【発明の概要】
【発明が解決しようとする課題】
【０００７】
しかしながら、特許文献１のワインクーラーは、ワインボトルと保冷材の間にワインボトルのラベルが視認できる程度の空間を有する形状とされているものの、ワインクーラー内でのワインボトルの向きによってはラベルを視認できないおそれがある。また、ワインボトルと保冷材の間の隙間からラベルを見ることになるので、ラベルの視認性が良いとは言えない。
【０００８】
本開示の一態様は、冷却するボトルの銘柄に関する情報をユーザに視認性良く提示することができるボトル保管器及びシステムを開示する。
【課題を解決するための手段】
【０００９】
本開示の一態様に係るボトル保管器は、
ボトルを収容する収容部と、
前記収容部の周囲に設けられた冷温部と、
前記収容部に収容された前記ボトルを回転させる回転部と、
前記収容部に収容された前記ボトルを撮像する撮像部と、
前記撮像部により得られた前記ボトルの画像に基づいて前記回転部の前記ボトルの回転と前記撮像部の撮像とを制御する制御部と、
前記制御部の制御により得られた前記ボトルの画像に基づいて少なくとも前記ボトルの銘柄を特定する情報管理部と、
前記情報管理部により特定された前記銘柄及び前記銘柄に関する関連情報の少なくとも１つを出力する出力部と、
を備える。
【００１０】
本開示の一態様に係るシステムは、
ボトル保管器と情報処理装置とを備えるシステムであって、
前記ボトル保管器は、
ボトルを収容する収容部と、
前記収容部の周囲に設けられた冷温部と、
前記収容部に収容された前記ボトルを回転させる回転部と、
前記収容部に収容された前記ボトルを撮像する撮像部と、
前記撮像部により得られた前記ボトルの画像を送信し、前記ボトルの画像についての認識結果及び前記ボトルの銘柄に関する関連情報を受信する通信部と、
前記認識結果に基づいて前記回転部の前記ボトルの回転と前記撮像部の撮像を制御する制御部と、
前記銘柄に関する関連情報を出力する出力部と、
を備え、
前記情報処理装置は、
前記ボトルの画像を受信し、前記認識結果及び前記銘柄に関する関連情報を送信する通信部と、
前記ボトルの画像に映る物体を認識し、前記ボトルの画像に基づいて少なくとも前記ボトルの銘柄を特定する情報管理部と、
を備える。
【発明の効果】
【００１１】
本開示の一態様によれば、冷却するボトルの銘柄に関する情報をユーザーに視認性良く提示することができる。
【図面の簡単な説明】
【００１２】
【図１Ａ】ボトル保管器の外観構成を示す斜視図
【図１Ｂ】ボトルを入れた状態を示す斜視図
【図１Ｃ】ボトル保管器の内部構成を示す概略的断面図
【図２】ボトル保管器を構成するケース部品を示した分解斜視図
【図３】上蓋を裏面側から斜視図
【図４】冷温装置の周辺構造を示す斜視図
【図５】冷温装置の周辺構造を示す斜視図
【図６】冷温装置に冷温媒体を入れた状態を示す略線的断面図
【図７】冷温装置にペルチェ素子を用いた場合を示す略線的断面図
【図８】回路基板への撮像部の取付状態を示す斜視図
【図９】撮像部の結露防止機構を示す図
【図１０Ａ】シャッターが閉状態のときの様子を示す図
【図１０Ｂ】シャッターが閉状態のときの様子を示す図
【図１１Ａ】実施の形態による簡易型のボトル保管器の外観構成を示す斜視図
【図１１Ｂ】ボトル保管器の内部構成を示す概略的断面図
【図１２】ボトル保管器を構成するケース部品を示した分解斜視図
【図１３】上蓋を裏面側から斜視図
【図１４】トレイに冷温装置を差し込む様子を示した図
【図１５】ボトル保管器の機能構成を示すブロック図
【図１６】ボトル保管器の動作の説明に供するフローチャート
【図１７Ａ】ボトルとラベルの例を示す図
【図１７Ｂ】ボトルとラベルの例を示す図
【図１７Ｃ】ボトルとラベルの例を示す図
【図１７Ｄ】ラベルと撮像部との位置関係を示す図
【図１８】銘柄解析及び照合処理手順を示すフローチャート
【図１９Ａ】ボトルの正面から広角で撮像したときの撮像画像を示す図
【図１９Ｂ】ボトルの正面から狭角で撮像したときの撮像画像を示す図
【図１９Ｃ】ボトルの正面から少しずれた方向から撮像したときの撮像画像を示す図
【図１９Ｄ】ボトルの位置を調整してボトルの正面から撮像したときの撮像画像を示す図
【図１９Ｅ】ラベルのない位置を撮像した撮像画像を示す図
【図１９Ｆ】ボトル背面のラベルを撮像した撮像画像を示す図
【図２０Ａ】撮像された特徴文様の例を示す図
【図２０Ｂ】撮像された特徴文様の例を示す図
【図２０Ｃ】撮像された特徴文様の例を示す図
【図２１】銘柄データベースが格納している情報テーブルの例を示す図
【図２２】ログ情報記憶部に記憶されるボトル挿入履歴ログの例を示す図
【図２３】ボトル保管器の機能構成を示すブロック図
【図２４】ボトル保管器による外部通知の例を示す図
【図２５】ボトル保管器の動作の説明に供するフローチャート
【図２６】表示部によって表示される画像例を示す図
【図２７Ａ】表示部によって表示される照合結果画像の例を示す図
【図２７Ｂ】ＬＥＤを発光させることにより照合したことを通知する例を示す図
【図２８】お気に入り登録処理により得られるテーブルの例を示す図
【図２９Ａ】お気に入り度数の数に応じた数のＬＥＤを発光させる例を示す図
【図２９Ｂ】お気に入り度数の数に応じた数のＬＥＤを発光させる例を示す図
【図３０】外部との通信機能を有するボトル保管器の機能構成を示すブロック図
【図３１】通信機能を有するボトル保管器によって行われる銘柄解析及び照合処理手順を示すフローチャート
【図３２】ボトル保管器が通信部を介してスマートフォンなどの情報機器と通信可能なシステム構成を示すブロック図
【図３３】ボトル保管器に記憶されている情報を情報機器に表示させた様子を示す図
【図３４】情報機器との連携を行ったときに、ログ情報記憶部に記憶されるお気に入りテーブルの内容を示す図
【図３５】ボトル台を回転及び昇降させる機能を有するボトル保管器の機能構成を示すブロック図
【図３６】ボトル保管器の動作の説明に供するフローチャート
【図３７Ａ】ボトル保管器にスキャナを設けた例を示す図であり、その外観斜視図
【図３７Ｂ】ボトル保管器にスキャナを設けた例を示す図であり、その内部の様子を示す斜視図
【図３８】ボトル収容部の開口部に円環状のスキャナを設けた例を示す外観斜視図
【図３９Ａ】一般的な静電ボタンを示す平面図
【図３９Ｂ】ボタンの背面に十字型に静電容量式センサを配置した静電ボタンを示す平面図
【図４０】回転情報を加えた挿入履歴ログを示す図
【図４１】個人認証が可能なボトル保管器の機能構成を示すブロック図
【図４２Ａ】リング型の指紋入力部を示す平面図
【図４２Ｂ】ライン型の指紋入力部を示す平面図
【図４３】ボトル保管器に発泡飲料が挿入されたときの表示部における表示を示す図
【図４４】コンテンツＩＤに紐付けて音源情報を格納したテーブルの例を示す図
【図４５Ａ】撮影対象のボトルを示す図
【図４５Ｂ】正面方向から見た湾曲ミラーの配置例を示す概略図
【図４５Ｃ】側面方向から見た湾曲ミラーの配置例を示す概略図
【図４５Ｄ】上部方向から見た湾曲ミラーの配置例を示す概略図
【図４６】実施の形態のボトル保管器を用いて構築されるシステムの具体例を示す概略図
【図４７Ａ】機器メーカがクラウドサーバの運営を行っている例を示す図
【図４７Ｂ】機器メーカ及び他の管理会社が共同もしくは分担してクラウドサーバの運営を行っている例を示す図
【発明を実施するための形態】
【００１３】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために、提供されるのであって、これらにより特許請求の範囲に記載の主題を限定することは意図されていない。
【００１５】
＜１＞ボトル保管器の構造
図１Ａ、図１Ｂ及び図１Ｃは、実施の形態のボトル保管器の外観を示す図である。図１Ａはボトル保管器１００の外観構成を示す斜視図であり、図１Ｂはワインボトル（以下、単に「ボトル」と呼ぶ）１を入れた状態を示す斜視図であり、図１Ｃはボトル保管器１００の内部構成を上部方向から見た概略的断面図である。なお、本実施の形態のボトル保管器１００は、ワインボトル１に限らず、シャンパン、日本酒などの飲料が入れられたボトルの保管器として広く用いることができる。
【００１６】
ボトル保管器１００は、略円筒形状である。ボトル保管器１００の内部には、ボトル１を収容するための空間を有する収容部１０１が設けられている。ボトル保管器１００の側面には、液晶ディスプレイなどからなる表示部１０２と、ＬＥＤ（Light Emitting Diode）などからなる通知部１０２ａと、が設けられている。ボトル保管器１００の上面には、静電ボタンなどからなる操作入力部１０３が設けられている。図１Ｃから分かるように、収容部１０１の周囲には冷温装置１０４が設けられている。
【００１７】
また、ボトル保管器１００の内部には、カメラなどからなる撮像部１０５が設けられている。撮像部１０５は、収容部１０１に収容されたボトル１を撮像できるような位置に配置されている。具体的には、撮像部１０５は、表示部１０２の背面位置に、収容部１０１から一定の距離を隔てて設けられている。言い換えると、撮像部１０５は、冷温装置１０４から離隔して配置されている。これにより、撮像部１０５及び表示部１０２（例えばカメラ及びディスプレイの回路基板）が過剰に冷却され、動作不良を起こすことを抑制できる。また、表示部１０２には後述するようにボトルの銘柄などが表示されるため、表示部１０２の背面に撮像部１０５が配置されることで、ラベルが正面に向く（すなわちラベルが撮像部１０５の撮像領域に入る）ように、ユーザーがボトルを挿入するように誘導することができる。これにより、ラベルの認識率を向上させること、又はラベルの認識のための機構若しくは処理を低減すること、が可能となる。
【００１８】
図２は、ボトル保管器１００を構成するケース部品を示した分解斜視図である。ケース１１１は、ボトル保管器１００の基台となるケースであり、撮像部１０５や後述するボトル台１１７（図４）などが取り付けられる。ケース１１２は、ボトル保管器１００の外装となるケースである。トレイ１１３は、冷温装置１０４などから発生した水を受ける水受けである。カムボックス（cam box）１１４は、機構部品を収容するためのケースである。上蓋１１５は、例えば磁石の力でケース１１１、１１２の上面に取り外し可能に固定される。因みに、上蓋１１５に設けられた静電ボタンからなる操作入力部１０３は、上蓋１１５がケース１１１、１１２に取り付けられたときに、ケース１１１に設けられた回路基板（図示せず）に電気的に接続される。
【００１９】
トレイ１１３には切欠１１３ａが形成されているとともに、カムボックス１１４には切欠１１４ａが形成されている。これにより、トレイ１１３及びカムボックス１１４の内側に収容されたボトル１を、トレイ１１３及びカムボックス１１４の外側に配置された撮像部１０５から切欠１１３ａ、１１４ａを介して撮像できる。
【００２０】
図３は、上蓋１１５を裏面側から斜視図である。上蓋１１５には、ガイド１１５ａ、１１５ｂが設けられている。
【００２１】
図４及び図５は、冷温装置１０４の周辺構造を示す斜視図である。冷温装置１０４は、ボトル１の周囲に配置された一対の容器からなり、各容器内に冷温媒体１１６が入れられる。冷温媒体１１６は、いわゆる蓄冷剤や保冷剤と呼ばれるものであり、予め他の冷温装置などによって例えば０°以下に冷やされたものである。因みに、冷温媒体１１６を予め温めておけば、ボトル保管器１００に保温機能を持たせることができる。冷温装置１０４は、ボトルに対向する面が熱伝導率の良い金属により形成されていることにより、ボルト１を効率よく冷やすことができるようになっている。
【００２２】
冷温装置１０４の下方には、円盤状のボトル台１１７が設けられている。ボトル台１１７は、モーター（図示せず）によって回転可能とされている。これにより、ボトル台１１７に載置されたボトル１はボルト台と一緒に回転され得る。因みに、冷温装置１０４は、ボトル台１１７とは独立しており、回転しない。よって、ボトル台１１７の回転位置に応じて、冷温装置１０４の各容器の隙間から見えるボトル１の向きが変化する。換言すれば、撮像部１０５は、冷温装置１０４の各容器の隙間から、ボトルを様々な角度から撮像できるようになる。
【００２３】
軸受土台１１８は、モーター（図示せず）の駆動力を冷温装置１０４を構成する各容器に伝達するものであり、各容器はモーターによって互いに近接及び離間する方向に移動される。各容器が近接方向に移動されると冷却能力が上がり、各容器が離間する方向に移動されると冷却効率が下がる。
【００２４】
ここで、上蓋１１５をケース１１１の上部に取り付けると、ガイド１１５ａの爪部が冷温装置１０４の各容器の内部に入り込むことにより、冷温装置１０４の上部がガイド１１５ａによって保持される。また、ガイド１１５ｂの円周状の突起が冷温装置１０４の内周面に当接することで、冷温装置の上部がガイド１１５ｂによって保持される。ガイド１１５ａ、１１５ｂは、各容器が近接及び離間する方向に移動されると、これに連動して縮径及び拡径するように移動される。これにより、ガイド１１５ａ、１１５ｂは、冷温装置１０４を構成する各容器の下端部がモーターによって近接及び離間する方向に移動された場合でも、これに連動することで各容器の上端部を保持できる。
【００２５】
図６は、冷温装置１０４に冷温媒体１１６を入れた状態を示す略線的断面図である。なお、本実施の形態では、冷温装置１０４を一対の容器によって構成した場合について述べたが、１つの容器で構成してもよく、或いは３つ以上の容器によって構成してもよい。ただし、撮像部１０５によってボトル１を撮像するための撮像経路を確保する必要がある。
【００２６】
なお、本実施の形態では、冷温装置１０４を容器によって構成し、その内部に冷温媒体１１６を入れることで冷温を実現しているが、冷温装置１０４の構成はこれに限らず、例えば図７の略線的断面図に示したように、ボトル１に対向する面にペルチェ素子１１９などを設けることで電気的な冷温を行ってもよい。このような電気的な冷温は、上述した冷温媒体１１６との組み合わせで行ってもよく、単独で行ってもよい。
【００２７】
図８は、液晶ディスプレイからなる表示部１０２及びカメラからなる撮像部１０５の、回路基板１２０への具体的な取付状態を、ボトル保管器１００の正面側から見て示す斜視図である。因みに、ボトル保管器１００の正面側とは、表示部１０２の側である。回路基板１２０は、ケース１１１（図２）に取り付けられる。
【００２８】
図９、及び、図１０Ａ、図１０Ｂは、撮像部１０５の結露防止機構を示す図である。ボトル保管器１００は、撮像部１０５のレンズの結露を防止する結露防止機能を有する。図９に示したように、ケース１１１には、モーター１３１が取付板１３２を介して取り付けられている。モーター１３１の回転軸にはモーターシャフト１３３が取り付けられている。図１０Ａ及び図１０Ｂは、ボトル１の方向から撮像部１０５を見た図である。シャッター１３４の長孔１３４ａにモーターシャフト１３３が挿通されている。これにより、モーター１３１の回転位置に応じて、シャッター１３４は図１０Ａに示した閉状態及び図１０Ｂに示した開状態を取り得る。撮像を行わないときには図１０Ａに示した閉状態とし、撮像を行うときには図１０Ｂに示した開状態とすることにより、冷却に起因する撮像部１０５の結露を抑制できる。
【００２９】
次に、簡易型のボトル保管器について説明する。以下で説明する簡易型のボトル保管器は、液晶ディスプレイなどからなる表示部１０２を有さない。
【００３０】
図１との対応部分に同一符号を付して示す図１１Ａ及び図１１Ｂは、実施の形態による簡易型のボトル保管器２００の概略構成を示す図である。図１１Ａはボトル保管器２００の外観構成を示す斜視図であり、図１１Ｂはボトル保管器２００の内部構成を示す概略的断面図である。ボトル保管器２００は、液晶ディスプレイなどからなる表示部１０２を有さず、ＬＥＤなどからなる通知部２０１を有する。なお、ＬＥＤは、１つでもよいし複数でもよい。
【００３１】
図２との対応部分に同一符号を付して示す図１２は、ボトル保管器２００を構成するケース部品を示した分解斜視図である。ケース２１１は、ボトル保管器２００の基台となるケースである。ケース２１１には、カメラホルダー２１６を介して撮像部１０５が取り付けられる。ケース２１２は、ボトル保管器２００の外装となるケースである。トレイ２１３は、冷温装置１０４などから発生した水を受ける水受けである。上蓋２１５は、例えば磁石の力でケース２１１、２１２の上面に取り外し可能に固定される。
【００３２】
図１３は、上蓋２１５を裏面側から斜視図である。ボトル保管器２００はボトル保管器１００と比較して、冷温装置１０４を構成する各容器を近接及び離間する方向に移動させない構成となっており、このため上蓋２１５はガイド２１５ａとして冷温装置１０４の各容器の内周面に当接する円環状の突起が形成された簡単な構成となっている。
【００３３】
ボトル保管器２００は、冷温装置１０４を構成する各容器を近接及び離間する方向に移動させない構成となっているので、ボトル保管器１００のようなカムボックス１１４を省略でき、図１４に示したように、トレイ２１３に冷温装置１０４を構成する各容器を差し込むだけで簡単に組み立てることができる。
【００３４】
＜２＞ボトル保管器の機能構成
次に、ボトル保管器１００、２００の機能構成について説明する。ボトル保管器２００の機能構成は、ボトル保管器１００の機能構成よりも簡単なので、先ずボトル保管器２００の機能構成について説明し、次にボトル保管器１００の機能構成について説明する。
【００３５】
＜２−１＞ボトル保管器２００の機能構成
図１５は、ボトル保管器２００の機能構成を示すブロック図である。ボトル保管器２００は、冷温装置１０４、撮像部１０５、制御部２２１、画像解析部２２２、情報管理部２２３、ログ情報記憶部（ログ情報）２２４、銘柄データベース（銘柄ＤＢ）２２５、通知部２０１及び照明部２２６を有する。
【００３６】
制御部２２１は、ボトル保管器２００の全体の動作を制御する。画像解析部２２２は、撮像部１０５によって撮像された画像を解析する。情報管理部２２３は、画像解析部２２２によって得られた画像解析結果と、銘柄データベース２２５に格納された銘柄画像とを用いて、銘柄の解析及び照合を行う。情報管理部２２３は、照合結果に基づいて、ログ情報記憶部２２４のログ情報を更新する。また、制御部２２１は、情報管理部２２３での照合結果に基づいて通知部２０１を制御する。照明部２２６は、ボトル１を照らすことにより、撮像部１０５によってボトルを鮮明に撮像できるようにする。
【００３７】
図１６は、ボトル保管器２００の動作の説明に供するフローチャートである。
【００３８】
ボトル保管器２００の制御部２２１は、電源がＯＮされると、ステップＳ１１において、例えば通知部２０１のＬＥＤを所定の色で発光させることにより、起動通知表示を行う。次に、ステップＳ１２において、制御部２２１は、撮像部１０５によって得られた画像に基づいて、ボトル１が挿入されたか否か判断する。なお、ボトル１が挿入されたか否かの判断は、例えばボトル台１１７に重量センサが設けられている場合には、重量センサによる検出結果を用いて行ってもよい。制御部２２１は、ボトル１が挿入されていないと判断すると、ステップＳ１３に移って、通知部２０１にボトル１の挿入を待ち受けている状態であることを示す待ち受け表示を行わせる。
【００３９】
これに対して、制御部２２１は、ボトル１が挿入されたと判断すると、ステップＳ１４に移って、照明部２２６を点灯させる。続くステップＳ１５では、撮像部１０５がボトルのラベル撮影処理を行い、続くステップＳ１６では、情報管理部２２３が銘柄解析及び照合処理を行う。ステップＳ１７では、情報管理部２２３が前に挿入されたボトルと違うボトルか否か判断し、違うボトルの場合にはステップＳ１８に移って、ログ情報記憶部２２４の挿入履歴ログを更新する。
【００４０】
ステップＳ１９では、制御部２２１が電源ＯＦＦされたか否かを判断し、電源がＯＦＦされていない場合には、ステップＳ１２に戻る。
【００４１】
図１７Ａ−図１７Ｄは、ボトル保管器２００にボトル１を挿入する際の、ラベルと撮像部１０５との位置関係を示す図である。図１７Ａ、図１７Ｂ、図１７Ｃはボトル１とそれに貼られたラベルの例を示す図であり、図１７Ｄはボトル保管器１００、２００にボトル１を収容したときのラベルと撮像部１０５との位置関係を示す図である。図１７Ｄに示したように、撮像部１０５は、撮像中心がラベルの中央付近となる位置に配置されることが好ましい。
【００４２】
図１８は、図１６のステップＳ１６において情報管理部２２３によって行われる銘柄解析及び照合処理手順を示すフローチャートである。
【００４３】
情報管理部２２３は、ステップＳ２１において文字列を取得したか否かを判断し、取得したと判断した場合には、ステップＳ２２に移って取得した文字列を銘柄データベース２２５に格納された銘柄データと照合する。情報管理部２２３は、続くステップＳ２３において、合致したデータがあったか否か判断し、合致したデータがあった場合には、ステップＳ２４に移って照合結果を保持する。
【００４４】
これに対して、情報管理部２２３は、文字列を取得していないと判断した場合（ステップＳ２１：Ｎｏ）、又は、文字列に合致したデータがない場合（ステップＳ２３：Ｎｏ）には、ステップＳ２５に移る。情報管理部２２３は、ステップＳ２５において、特徴文様を取得したか否かを判断し、取得したと判断した場合には、ステップＳ２６に移って取得した特徴文様を銘柄データベース２２５に格納された銘柄データと照合する。
【００４５】
情報管理部２２３は、続くステップＳ２７において、合致したデータがあったか否か判断する。因みに、ステップＳ２７では、特徴文様に加えて、文字列についても合致したデータかあったか否か（つまりステップＳ２４で保持した照合結果があるか否か）を判断し、いずれか一方でも合致したデータがあった場合には、ステップＳ２８に移る。情報管理部２２３は、ステップＳ２８において、文字列及び特徴文様についての照合結果をチェックし、続くステップＳ２９において、照合結果を記録する。これに対して、情報管理部２２３は、特徴文様及び文字列のどちらも合致したデータがないと判断した場合（ステップＳ２７：Ｎｏ）、ステップＳ３０に移って銘柄データベース２２５での照合が不可能であると決定し、続くステップＳ３１において、照合結果がないと決定する。
【００４６】
図１９Ａ−図１９Ｆは、ボトル保管器２００に収容されたボトル１を撮像部１０５によって撮像して得た撮像画像の例である。図１９Ａはボトル１の正面から広角で撮像したときの撮像画像であり、図１９Ｂはボトル１の正面から狭角で撮像したときの撮像画像であり、図１９Ｃはボトル１の正面から少しずれた方向から撮像したときの撮像画像であり、図１９Ｄは図１９Ｃの状態からボトル台１１７（図４）を回転させることでボトル１の位置を調整してボトル１の正面から撮像したときの撮像画像であり、図１９Ｅはラベルのない位置を撮像した撮像画像であり、図１９Ｆはボトル背面のラベルを撮像した撮像画像である。
【００４７】
図２０Ａ−図２０Ｃは、撮像された特徴文様の例を示す図である。
【００４８】
因みに、図１９Ａに示した撮像画像は、文字列として「ＳＡＫＥ」、「桜」、「２０１０」の全てが撮像さており、特徴文様としても図２０Ａ、図２０Ｂに示したような複数の特徴模様が撮像されているので、理想的な撮像画像ということができる。図１９Ｂ及び図１９Ｄに示した撮像画像は、文字列として「桜」、「２０１０」が撮像さており、特徴文様として図２０Ｃに示したような特徴模様が撮像されている。
【００４９】
図２１は、銘柄データベース２２５が格納している情報テーブルの例を示す。判定情報である文字列及び特徴文様に紐付けて、銘柄種別、ＣＩＤ（コンテンツＩＤ）、銘柄名、醸造主情報、対応店舗などの情報が格納されている。これにより、情報管理部２２３は、銘柄データベース２２５を用いることにより、照合した文字列及び特徴文様から、銘柄種別、ＣＩＤ（コンテンツＩＤ）、銘柄名、醸造主情報、対応店舗などの情報を読み出すことができる。
【００５０】
図２２は、ログ情報記憶部２２４に記憶されるボトル挿入履歴ログの例を示す。ボトル挿入履歴ログは、ボトルを挿入したときや所定時間が経過したとき（例えば１０分毎）などに記録すればよい。ボトル挿入履歴ログには、日付、時刻、ＣＩＤ（コンテンツＩＤ）、確度、喫飲記録などが含まれる。確度は情報管理部２２３による照合の尤度であり、喫飲記録としては確度が所定閾位置以上の場合には「Ｔｒｕｅ」、所定閾値未満の場合には「Ｆａｌｓｅ」が記録される。ボトル保管器２００は、このボトル挿入履歴ログにより、コンテンツＩＤで示されるボトル１が挿入された頻度（つまりある種類の飲料が飲まれた頻度）や、あるコンテンツＩＤのボトル１から他のコンテンツＩＤのボトル１に入れ替えた時刻などを記録し、これを通知或いは表示することでユーザーにこれらを知らせることができる。
【００５１】
＜２−２＞ボトル保管器１００の機能構成
図１５との対応部分に同一符号を付して示す図２３は、ボトル保管器１００の機能構成を示すブロック図である。ボトル保管器１００は、ボトル保管器２００の構成に加えて、操作入力部１０３、表示部１０２及び音声入出力部１４１を有する。実際には、ボトル保管器２００も操作入力部１０３を有するが、図１５では説明を簡単にするためにこれを省略した。また、ボトル保管器２００でも音声入出力部１４１を有していてもよい。ボトル保管器１００と２００との決定的な違いは、ボトル保管器１００は液晶ディスプレイなどからなる表示部１０２を有することである。
【００５２】
図２４は、ボトル保管器１００による外部通知の例である。ボトル保管器１００は、ＬＥＤ（通知部１０２ａ）による光、液晶ディスプレイ（表示部１０２）による表示、及び音声出力（音声入出力部１４１）によって、動作状態を外部通知する。図２４において、各行が互いに対応している。例えば起動時にはＬＥＤが白に発光し、液晶ディスプレイには起動ロゴが表示され、音声入出力部１４１からは起動音が出力される。また、ボトル１の挿入を待機している状態では、ＬＥＤが青に発光し、液晶ディスプレイには待ち受けリストが表示され、音声入出力部１４１からは待ち受け音が出力される。
【００５３】
図１６との対応部分に同一符号を付して示す図２５は、ボトル保管器１００の動作の説明に供するフローチャートである。以下、図１６と異なる手順のみ説明する。ボトル保管器１００は、ステップＳ４１において、表示部１０２によって照合結果を画像にて表示する。また、ボトル保管器１００の制御部２２１は、ステップＳ４２で操作入力部１０３からの操作入力、あるいは、音声入出力部１４１からの音声入力があったか判断し、これらの入力があった場合にはステップＳ４３に移る。ステップＳ４３では、お気に入り登録処理や購入処理が行われる。例えば、操作入力部１０３である静電ボタンを押した回数が多いほどお気に入り度を高くして登録する。
【００５４】
図２６は、表示部１０２によって表示される画像例を示す。図２６に示した画像は、予め例えば銘柄データベース２２５に格納されている。具体的には、各コンテンツＩＤ（ＣＩＤ）に対応する、汎用ラベル、特定ラベル、マッチする料理、ポジション、蔵元情報、お店のメニューなどが記憶されており、照合結果のコンテンツＩＤに対応する情報が表示部１０２に表示される。因みに、特定ラベルとは、例えば購買者から予め提供された宣伝効果の高いラベルの画像などである。マッチする料理とは、コンテンツＩＤに合う料理を示す画像である。ポジションとは、コンテンツＩＤの味を表す画像である。蔵元情報とは、蔵元の顔や地域などを表す画像である。お店のメニューとは、ボトル保管器１００を特定の店で使用している場合において、その店のメニューの中でコンテンツＩＤに合うメニューの画像である。
【００５５】
このように、本実施の形態のボトル保管器１００においては、挿入されたボトル１に関する様々な情報を表示部１０２によって表示するので、ユーザーは喫飲をより楽しむことができる。また、ボトル飲料に合う料理の情報が表示されるので、ボトル飲料だけなく、料理の需要も喚起される。よって、本実施の形態のボトル保管器１００をレストランなどで用いた場合には、料理の販売向上にも繋がる。なお、表示部１０２で画像表示した情報と同じ情報を、音声入出力１４１部から音声出力するようにしてもよい。
【００５６】
図２７Ａは、ステップＳ４１において表示部１０２によって表示される照合結果画像の例を示す。図２７Ａの例では、照合により認証されたラベルの画像とともに、現在時刻「２０：０６」、前回までに登録されたお気に入り度数（図中の星の数）などが表示されている。なお、ボトル保管器２００（図１１）のように表示部１０２を有さずに、通知部２０１のみを有する場合には、図２７Ｂに示したように、通知部２０１であるＬＥＤを、照合したことを示す特定色で発光させればよい。
【００５７】
図２８は、お気に入り登録処理により得られるテーブルの例を示す。図２８のテーブルはログ情報記憶部２２４に記憶される。図のテーブルは、ユーザーＩＤ（ＵＩＤ）毎に作成される。各コンテンツＩＤ（Ｃ１１、Ｃ１２、……）について、お気に入り登録がされた登録時刻、お気に入り度数及び累積判定回数が記録される。累積判定回数とは、そのコンテンツＩＤに対して、これまでお気に入り登録を行った回数である。
【００５８】
ボトル保管器１００のように液晶ディスプレイなどからなる表示部１０２を有するものであれば、図２７Ａに示したように、お気に入り度数を画像にて表示することができる。一方、ボトル保管器２００のように表示部１０２を有さずに、複数のＬＥＤからなる通知部２０１を有するものであれば、図２９Ａ及び図２９Ｂに示したように、お気に入り度数の数に応じた数のＬＥＤを発光させるなどすることにより、ユーザーにお気に入り度数を知らせることができる。
【００５９】
なお、本実施の形態では、ユーザーが操作入力部１０３を押した回数によってお気に入り度数が決められる場合について述べたが、例えばボトル保管器１００に挿入されたコンテンツＩＤの回数によってお気に入り度数を決めてもよい。つまり、好きな飲料（ボトル）は、ボトル保管器１００に挿入する回数も多くなる傾向があるので、その回数に基づいてお気に入り度数を決めてもよい。また、操作入力部１０３を押した回数と、挿入回数とを総合的に判断して、お気に入り度数を決めてもよい。
【００６０】
＜２−３＞外部との通信機能を有するボトル保管器の機能構成
図２３との対応部分に同一符号を付して示す図３０は、外部との通信機能を有するボトル保管器３００の機能構成を示すブロック図。ボトル保管器３００は、図２３のボトル保管器１００の機能に加えて、通信部３０１を有する。通信部３０１は、インターネット５００を介してクラウドサーバ４００と通信可能となっている。
【００６１】
クラウドサーバ４００は、保管器管理部４０１、ログ情報記憶部４０２及び銘柄データベース４０３を有する。クラウドサーバ４００は、複数のボトル保管器と通信可能となっており、ログ情報記憶部４０２に複数のボトル保管器のログ情報を記録でき、かつ、銘柄データベース４０３に非常に多くの銘柄データを格納できる。つまり、クラウドサーバ４００のログ情報記憶部４０２及び銘柄データベース４０３は、ボトル保管器３００のログ情報記憶部２２４及び銘柄データベース２２５よりも膨大なデータを格納できる。クラウドサーバ４００とボトル保管器３００は、マスタースレーブの関係である。
【００６２】
ボトル保管器３００は、銘柄データベース２２５を用いて照合を行っても照合結果が得られなかった場合、通知部３０１を介してクラウドサーバ４００に照合を依頼する。このときボトル保管器３００は、撮像した照合対象の画像又は画像解析結果をクラウドサーバ４００に送る。クラウドサーバ４００の保管器管理部４０１は、送られてきた撮像画像に基づく画像解析結果又は送られてきた画像解析結果と銘柄データベース４０３に格納された画像との照合を行い、照合結果をボトル保管器３００に送る。これにより、ボトル保管器３００の銘柄データベース２２５に格納されているラベル画像よりも多くのラベル画像を用いた照合を行うことができるので、撮像したラベル画像に一致するラベル画像が見つかる可能性が高くなる。また、クラウドサーバ４００には、照合により得られたコンテンツＩＤに紐付けられた情報をより多く記憶できるので、ボトル保管器３００によって表示出力又は音声出力し得る情報の量も増やすことができる。
【００６３】
なお、ボトル保管器３００のログ情報記憶部２２４及び銘柄データベース２２５を省略して、照合処理やログ情報の記憶処理などを全てクラウドサーバ４００によって行うようにしてもよい。また、撮像したラベル画像に一致するラベル画像の検索や、コンテンツＩＤに対応する情報の検索は、クラウドサーバ４００に限らず、クラウドサーバ４００を含むインターネット空間を用いて行うようにしてもよい。
【００６４】
図１８との対応部分に同一符号を付して示す図３１は、通信機能を有するボトル保管器３００の情報管理部２２３によって行われる銘柄解析及び照合処理手順を示すフローチャートである。以下、図１８と異なる手順のみ説明する。情報管理部２２３は、ステップＳ３０において、銘柄データベース２２５での照合が不可能であると決定すると、ステップＳ５０に移る。情報管理部２２３は、ステップＳ５０において、クラウドサーバ４００を含むインターネット空間に、撮像された文字列及び特徴文様に合致する画像データがある否か判断し、合致する画像データがある場合にはステップＳ５１において銘柄データベース４０３に検索結果（つまり合致する画像データ）を記録し、合致する画像データがない場合にはステップＳ５２において、照合結果がないと決定する。
【００６５】
＜２−４＞情報機器との連携
図３０との対応部分に同一符号を付して示す図３２は、ボトル保管器３００が通信部３０１を介してスマートフォンなどの情報機器６００と通信可能となっているシステム構成を示すブロック図である。情報機器６００は、通信部６０１、表示部６０２、制御部６０３及び操作入力部６０４などを有する。
【００６６】
図３２に示したシステムでは、情報機器６００がボトル保管器３００にアクセスして、ボトル保管器３００のログ情報記憶部２２４に記憶されたログ情報を読み取って表示部６０２に表示できるようになっている。これにより、ユーザーは、ボトル保管器３００の表示部１０２に表示される情報とは独立に、ボトル保管器３００に記憶されている情報の中から自分の見たい情報を情報機器６００に表示させることができる。
【００６７】
また、図３３に示したように、液晶ディスプレイなどの表示部１０２を有さないボトル保管器２００であっても、情報機器６００と通信可能な通信部を設ければ、ボトル保管器２００に記憶されている情報を情報機器６００の表示部６０２に表示させることができる。
【００６８】
図３４は、情報機器６００との連携を行ったときに、ログ情報記憶部２２４に記憶されるお気に入りテーブルの内容を示す。図２８で示した情報に加えて、アクセス履歴及び購入ログの情報が記録される。図３４の例では、ユーザーＩＤ＝「００１」であるユーザーがコンテンツＩＤ＝Ｃ１２のボトルを、ＥＣ（Electronic Commerce）−２の店舗から２
本購入したことが記録されている。
【００６９】
＜２−５＞回転及び昇降機構を有するボトル保管器の機能構成
既に図４を参照して、ボトル保管器１００は、ボトル台１１７を回転させることで、ボトル１を様々な角度から撮像できるようになっていることを説明した。
【００７０】
図３０との対応部分に同一符号を付して示す図３５は、ボトル台１１７を回転及び昇降させる機能を有するボトル保管器７００の機能構成を示すブロック図である。ボトル保管器７００は、機構として、ボトル保管器１００と同様のボトル台１１７を回転させる回転機構を有するのに加えて、ボトル台１１７を昇降させる昇降機構を有する。ボトル保管器７００は、制御部２２１によって回転モーター７０１を制御するとともに昇降制御部７０２を制御する。
【００７１】
図１６との対応部分に同一符号を付して示す図３６は、ボトル保管器７００の動作の説明に供するフローチャートである。図３６の処理では、図１６の処理と比較して、ステップＳ６０−Ｓ６４の処理が加わっているので、その処理について説明する。
【００７２】
制御部２２１は、ステップＳ６０において、画像解析部２２２による解析結果に基づいて、ラベルが正面に向いているか否か（つまりラベルが撮像部１０５の方向を向いているか否か）を判断する。具体的には、画像解析部２２２は、画像におけるラベルの映り具合を判断する。より具体的には、画像解析部２２２は、ボトルの画像においてラベルがボトルの銘柄を特定できる程度に映っているか否かを判断する。この判断は、例えば要素の認識率が高いか否かや、ラベルのエッジに基づいて行うことができる。制御部２２１は、ステップＳ６０でラベルが正面を向いていないと判断すると、ステップＳ６１に移って回転モーター７０１を回転させることによりボトル台１１７を所定角度回転させた後、ステップＳ１５で再び撮像部１０５によるラベル撮像処理を行う。制御部２２１は、ラベルが正面を向いていると判断するまで、ステップＳ１５−Ｓ６０−Ｓ６１−Ｓ１５の処理を繰り返す。
【００７３】
なお、ボトル保管器７００は、ボトルを回転させながら撮像してもよい。例えば、ボトル保管器７００は、ラベルの認識の有無に関わらず、予め設定される角度までボトルを回転させ、ボトルが所定角度回転する度に撮像してよい。また、ボトル保管器７００は、認識されたラベルの部分に応じて、回転方向を制御してもよい。例えば、ボトル保管器７００は、ラベルの右端が認識された場合、ボトルを反時計回りに回転させてよい。
【００７４】
制御部２２１は、ステップＳ６０においてラベルが正面を向いていると判断すると、ステップＳ６２に移って高さが適正か否か判断する。具体的には、画像解析部２２２は、画像におけるラベルの映り具合を判断する。より具体的には、画像解析部２２２は、ボトルの画像においてラベルがボトルの銘柄を特定できる程度に映っているか否かを判断する。この判断も、例えば要素の認識率が高いか否かや、ラベルのエッジに基づいて行うことができる。制御部２２１は、ステップＳ６２で高さが適正でないと判断すると、ステップＳ６３に移って昇降制御部７０２及び昇降機構によってボトル台１１７の高さを調整した後、ステップＳ１５で再び撮像部１０５によるラベル撮像処理を行う。制御部２２１は、ラベルの高さが適正であると判断するまで、ステップＳ１５−Ｓ６０−Ｓ６２−Ｓ６３−Ｓ１５の処理を繰り返す。また、ボトル保管器７００は、ステップＳ６４で照合結果画像を表示する。
【００７５】
なお、ボトル保管器７００は、ボトルを昇降させながら撮像してもよい。例えば、ボトル保管器７００は、ラベルの認識の有無に関わらず、予め設定される高さまでボトルの上昇又は下降させ、ボトルが所定の高さ上昇又は下降する度に撮像してよい。また、ボトル保管器７００は、認識されたラベルの部分に応じて、昇降方向を制御してもよい。例えば、ボトル保管器７００は、ラベルの上端が認識された場合、ボトルを上昇させてよい。
【００７６】
因みに、ラベルがボトル１の複数位置に貼られている場合には、回転と昇降により、複数のラベルを撮像することが可能となる。
【００７７】
なお、ボトル保管器７００は、ボトルを回転させる代わりに又はそれとともに、ボトルの回転をユーザーに促す情報を出力してもよい。例えば、ボトル保管器７００は、表示部１０２にボトルの回転をユーザーに促す画像を表示させてよい。また、ボトル保管器７００は、認識されたラベルの部分に応じて、当該画像を表示部１０２に表示させてもよい。例えば、ボトル保管器７００は、ラベルの右端が認識された場合、ボトルを反時計回りに回転させることをユーザーに促す画像を表示部１０２に表示させてよい。なお、ボトルの回転をユーザーに促す情報は、通知部２０１によりユーザーに通知されてもよい。
【００７８】
＜３＞ボトル保管器の他の構成例
＜３−１＞
上述の実施の形態では、カメラからなる撮像部１０５によってラベルの画像を撮像する場合について説明したが、撮像部１０５はカメラに限らずスキャナを用いてもよい。図３７Ａ及び図３７Ｂは、その構成例を示すものである。図３７Ａはボトル保管器２００にスキャナ８０１を設けた例を示す斜視図であり、図３７Ｂはボトル保管器２００にスキャナ８０１を設けたときの内部の様子を示す斜視図である。要は、ボトル１に沿った縦長のスキャナ８０１を設け、ボトル１あるいはスキャナ８０１を回転させれば、ラベルを読み取ることができる。
【００７９】
また、図３８に示したように、ボトル収容部１０１の開口部に円環状のスキャナ８０２を設けてもよい。これにより、ボトル保管器２００にボトル１を挿入するときにラベルの画像を読み取ることができる。
【００８０】
＜３−２＞
上述の実施の形態では、図３９Ａで示したような静電ボタンなどからなる操作入力部１０３を設け、この操作入力部１０３を押す回数によって例えばお気に入り度などを入力する場合について述べた。図３９Ｂに示すように、ボタン１０３ａの背面に十字型に静電容量式センサ１０３ｂを配置して、上下左右へのユーザー操作を検出し、これに応じて表示部１０２に表示される画像を選択できるようにしてもよい。このようにすれば、ユーザーは見たい画像を選択できる。なお、画像の選択は、表示部１０２がタッチパネル式のディスプレイである場合には、表示部１０２をタッチ操作することで行ってもよい。つまり、表示部１０２が操作入力部１０３を兼ねていてもよい。
【００８１】
＜３−３＞
ボトル台１１７及びモーターのようなボトル１を回転させる回転機構を有する場合には、ボトル１を回転させた情報をログとして記録してもよい。図４０は、挿入履歴ログに回転情報も加えた例である。図４０の挿入履歴ログを見ることにより、ボトル１を回転させて裏ラベルを撮影したこと、及び、その日時を知ることができる。
【００８２】
＜３−４＞
図３０との対応部分に同一符号を付して示す図４１は、個人認証が可能なボトル保管器９００の機能構成を示すブロック図である。ボトル保管器９００は、図３０のボトル保管器３００の機能に加えて、指紋入力部９０１及び指紋認証部９０２を有する。これにより、ボトル保管器９００は、ユーザーを特定できるので、制御部２２１は、例えば特定したユーザーに紐付いたお勧め情報などを表示させることができるようになる。また、認証後にインターネット５００などを介して商品を購入することもできるようになる。
【００８３】
図４２Ａ及び図４２Ｂは、指紋入力部９０１の構成例を示すものである。図４２Ａ及び図４２Ｂの例では、操作入力部１０３が指紋入力部９０１を兼ねている。図４２Ａはボトル保管器１００の操作入力部１０３にリング型の指紋入力部９０１を搭載した例であり、図４２Ｂはボトル保管器１００の操作入力部１０３にライン型の指紋入力部９０１を搭載した例である。なお、リング型及びライン型の指紋入力部９０１は、スマートフォンなどに利用されている既知の構成なのでここでの説明は省略する。
【００８４】
＜３−５＞
上述の実施の形態では、表示部１０２に、主に、情報管理部２２３によって特定された銘柄、及び、特定された銘柄に関する関連情報を表示する例について説明したが、表示部１０２には、例えば図４３に示すような画像を表示してもよい。図４３は、ボトル保管器に挿入され特定された銘柄の飲料が発泡飲料なので表示部１０２にラベルの画像に加えて、左右に揺れながら上昇する気泡１５１を表示したものである。このようにすれば、ユーザーはボトル保管器１００内の飲料の特徴を一目で把握できるようになる。
【００８５】
＜３−６＞
例えば銘柄データベース２２５に、コンテンツＩＤ（ＣＩＤ）に紐付けて音楽の情報を記憶しておき、挿入されたボトル（つまりコンテンツＩＤ）銘柄に対応する音楽を再生して出力する音楽出力部を設けてもよい。このようにすれば、ボトル銘柄にマッチした音楽が流れるので、喫飲をより楽しむことができる。具体的には、図４４に示したように、表示部１０２に表示する表示画像を格納したテーブルに、コンテンツＩＤに紐付けて音源情報（音源）も格納すればよい。このテーブルは、例えば銘柄データベース２２５に格納されている。音源は、ボトル保管器１００、２００に記憶されていてもよく、インターネットを介して取得してもよい。
【００８６】
＜３−７＞
ボトル保管器１００、２００の撮像部１０５とボトル１との間に湾曲ミラーを設ければ、狭い空間でもラベル全体を撮像することができるようになり、ボトル保管器１００、２００をより小型化できる。カメラなどからなる撮像部１０５によってラベル全体を撮像するためには、カメラの視野角などの関係から、ボトル１と撮像部１０５とを所定距離（例えば５ｃｍ）以上隔てる必要がある。単純にボトル１の表面に直交する方向に撮像部１０５を隔てて配置すると、その分だけボトル保管器１００、２００の外形を大きくせざるを得ない。湾曲ミラーを設けることにより、ボトル１とカメラの距離を近づけてもカメラの視界内にラベル全体を入れることができるようになるので、ボトル保管器１００、２００を小型化できる。
【００８７】
図４５Ａ−図４５Ｃは、湾曲ミラー９０３を用いたラベル撮影の例を示す図である。図４５Ａは撮影対象のボトル１を示す図であり、図４５Ｂは正面方向から見た湾曲ミラー９０３の配置例を示す概略図であり、図４５Ｃは側面方向から見た湾曲ミラー９０３の配置例を示す概略図であり、図４５Ｄは上部方向から見た湾曲ミラー９０３の配置例を示す概略図である。ボトル保管器１００に挿入されたボトル１の上下方向に沿うように湾曲ミラー９０３が配置されており、この湾曲ミラー９０３のミラー面を撮影するように撮像部（カメラ）１０５が配置されている。図の例では、撮像部１０５は湾曲ミラー９０３の下方に配置されている。湾曲ミラー９０３は例えば撮像部（カメラ）１０５から遠いラベル上部ほどラベルを拡げて映すように湾曲している。このようにすることで、撮像部（カメラ）１０５とラベルとの距離が近くても、撮像部（カメラ）１０５の視野の中にラベル全体を入れることができるようになる。因みに、湾曲ミラー９０３を用いると湾曲した撮像画像が得られるので、この撮像画像を画像解析部２２２（図１５）などによって湾曲していない画像に戻すとよい。
【００８８】
＜３−８＞
音声入出力部１４１から各種の情報を音声出力することも可能である。例えばボトル保管器１００に挿入されたボトル１の銘柄や、その銘柄に関連する情報を音声出力してもよい。つまり、情報管理部２２３によって特定された銘柄、及び又は、特定された銘柄に関する関連情報を音声出力する音声出力する構成としてもよい。
【００８９】
また、ボトル１内の飲料の残量を検知するセンサが設けられている場合には、飲料の残量が少なくなったことを音声出力によりユーザーや店員に知らせてもよい。勿論、残量が少なくなったことを、画像や、ＬＥＤの発光により知らせてもよい。
【００９０】
また、ボトル保管器１００、２００を対話型の構成としてもよい。例えば音声入出力部１４１から入力された音声による要求に応えて、ログ情報記憶部２２４や銘柄データベース２２５から読み出した情報を音声入出力部１４１から音声出力してもよい。
【００９１】
＜３−９＞
本実施の形態のボトル保管器は、コードを介して電源を得る構成としてもよいが、非接触給電によってコードレスで電源を得るシステム構成としてもよい。非接触給電にすれば、コードが邪魔とならず、所望のテーブルに容易にボトル保管器１００、２００を移動することができる。
【００９２】
＜３−１０＞
本実施の形態のボトル保管器は、ボトル１と撮像部１０５との距離を調節してもよい。具体的には、ボトル保管器は、収納されたボトル１と撮像部１０５とを結ぶ方向（以下、前後方向とも称する。）にボトルを移動させる機構（以下、前後移動部とも称する。）をさらに備え、制御部２２１は、前後移動部によるボトルの前後方向の移動を制御する。より具体的には、制御部２２１は、ラベルの認識が困難と判定される場合、前後移動部にボトルを前後方向に移動させる。例えば、ラベルの認識が困難であるか否かの判定は、画像におけるラベルにボケの有無若しくは程度の判定、又は前後方向におけるボトルの位置（中心位置）の判定、などであってよい。また、前後移動部は、冷温装置１０４を利用した装置であってもよい。例えば、前後移動部は、２つの以上のパーツを備える冷温装置１０４の各パーツを用いてボトルを収容部１０１の中央へ押し出してよい。
【００９３】
＜３−１１＞
本実施の形態のボトル保管器は、撮像のための照明を制御してもよい。具体的には、制御部２２１は、複数の照明条件において撮像部１０５に撮像させ、得られた複数の画像からラベルの認識用の画像を選択する。例えば、制御部２２１は、複数の照明条件で照明部２２６に照明させ、各照明条件において撮像部１０５に撮像させる。画像解析部２２２は、撮像部１０５により得られた画像におけるラベルの認識率を評価する。そして、得られた画像のうちの評価が最も高い画像が銘柄の特定の処理に用いられる。
【００９４】
また、本実施の形態のボトル保管器の内面には、ラベルの光沢を認識するための文様が施され、ボトル保管器はラベルの認識に当該文様を利用してもよい。ここで、ボトルのラベルは金又は銀などの光沢を有する素材でできている場合がある。その場合、撮像用の照明がラベルで反射しラベルの一部又は全部が光沢となることによりラベルの誤認識が発生するおそれがある。そこで、撮像部１０５の周辺に特定の文様が施される。そして、画像解析部２２２は、撮像部１０５により得られた画像に光沢部分が存在する場合、光沢部分に当該特定の文様が映りこんでいるかを判定する。当該光沢部分に当該特定の文様が映りこんでいると判定されると、画像解析部２２２は、当該光沢部分もラベルの一部であるとしてラベルの認識処理を行う。
【００９５】
＜３−１２＞
本実施の形態のボトル保管器は、ボトルの置かれた位置に応じてボトルの撮像を制御してもよい。具体的には、ボトル保管器は、さらに重量センサを備え、制御部２２１は、重量センサから得られた情報に基づいて撮像部１０５の合焦を制御する。例えば、ボトル保管器は、複数の重量センサを備え、制御部２２１は、複数の重量センサから得られる情報に基づいて収納部１０１（又はボトル台１１７）におけるボトルの位置を判定する。ボトルの位置が収容部１０１の中央よりも撮像部１０５に近いと判定されると、制御部２２１は、撮像部１０５にフォーカス位置を近傍に設定させる。ボトルの位置が収容部１０１の中央よりも撮像部１０５から遠いと判定すると、制御部２２１は、撮像部１０５にフォーカス位置を遠方に設定させる。なお、さらにボトルの太さ（言い換えると前後方向の幅）に応じて撮像部１０５の合焦が制御されてもよい。
【００９６】
また、ボトル保管器は、重量センサから得られる情報を用いてボトルの残量をユーザーに通知してもよい。例えば、画像解析部２２２は、撮像部１０５から得られたボトルの画像に基づいてボトルの色が所定の色（例えば茶褐色又は黒）であるかを判定する。ボトルの色が所定の色である場合、情報管理部２２３は、重量センサから得られた情報に基づいてボトルの重量を算出し、当該ボトルの重量からボトルの容器の重量を差し引いた内容量すなわち残量を算出する。そして、制御部２２１は、算出した残量を示す画像を表示部１０２に表示させる。当該画像は、例えば既に表示されている銘柄に重畳されてもよく、銘柄とは別個に表示されてもよい。また、制御部２２１は、算出した残量を通知部１０２ａに通知させてもよい。例えば、残量が目盛り状に通知部１０２ａに表示されてよい。
【００９７】
＜３−１３＞
図４６は、上述の実施の形態のボトル保管器を用いて構築されるシステムの具体例を示す概略図である。なお、ボトル保管器としては、通信部を設ければ、上述の実施の形態のどのボトル保管器であってもよい。図４６では例として、ボトル保管器３００が用いられている。
【００９８】
グループ１０００は、例えば企業、団体、家庭等であり、その規模を問わない。グループ１０００には、複数のボトル保管器３００及びホームゲートウェイ１００１が存在する。複数のボトル保管器３００には、インターネットと接続可能なものもあれば、それ自身ではインターネットと接続不可能なものも存在する。それ自身ではインターネットと接続不可能なものであっても、ホームゲートウェイ１００１を介してインターネットと接続可能となるものが存在してもよい。またグループ１０００には、ボトル保管器３００を使用するユーザー１００２が存在する。ボトル保管器３００は、ユーザー１００２が利用するスマートフォンなどの電子機器１００３と通信可能であってもよい。
【００９９】
データセンタ運営会社１１００には、クラウドサーバ１１０１が存在する。クラウドサーバ１１０１とはインターネットを介して様々な機器と連携する仮想化サーバである。主に通常のデータベース管理ツール等で扱うことが困難な巨大なデータ（ビッグデータ）等を管理する。データセンタ運営会社１１００は、データ管理やクラウドサーバ１１０１の管理、それらを行うデータセンタの運営等を行っている。
【０１００】
なお、各ボトル保管器３００は、それぞれ、携帯電話機や無線通信ルータ等のパーソナルゲートウェイを介して、クラウドサーバ１１０１と間接的に通信を行ってもよい。また、各ボトル保管器３００は、それぞれ、ゲートウェイを介さずにクラウドサーバ１１０１と直接に通信を行ってもよい。
【０１０１】
ここで、データセンタ運営会社１１００は、データ管理やクラウドサーバ１１０１の運営等のみを行っている会社に限らない。例えば、図４７Ａに示したように、複数のボトル保管器３００のうちの１つを開発・製造している機器メーカが、併せてデータ管理やクラウドサーバ１１０１の運営を行っている場合もある。この場合は、機器メーカがデータセンタ運営会社１１００に該当する。また、データセンタ運営会社１１００は１つの会社に限らない。例えば、図４７Ｂに示したように、機器メーカ及び他の管理会社が共同もしくは分担してデータ管理やクラウドサーバ１１０１の運営を行っている場合もある。この場合は、両者もしくはいずれか一方がデータセンタ運営会社１１００に該当するものとする。
【０１０２】
サービスプロバイダ１２００は、サーバ１２０１を保有している。ここで言うサーバ１２０１とは、その規模は問わず例えば、個人用ＰＣ内のメモリ等も含む。また、サービスプロバイダ１２００がサーバ１２０１を保有していない場合もある。
【０１０３】
なお、上記サービスにおいてホームゲートウェイ１００１は必須ではない。例えば、クラウドサーバ１１０１が全てのデータ管理を行っている場合等は、ホームゲートウェイ１００１は不要となる。また、家庭内のあらゆる機器がインターネットに接続されている場合のように、それ自身ではインターネットと接続不可能な機器は存在しない場合もある。
【０１０４】
次に、上記サービスにおける情報の流れを説明する。
【０１０５】
まず、グループ１０００のボトル保管器３００は、各ログ情報をデータセンタ運営会社１１００のクラウドサーバ１１０１に送信する。クラウドサーバ１１０１はボトル保管器３００のログ情報を集積する。
【０１０６】
ログ情報は、インターネットを介して複数のボトル保管器３００自体から直接クラウドサーバ１１０１に提供される場合もある。また複数のボトル保管器３００から一旦ホームゲートウェイ１００１にログ情報が集積され、ホームゲートウェイ１００１からクラウドサーバ１１０１に提供されてもよい。
【０１０７】
次に、データセンタ運営会社１１００のクラウドサーバ１１０１は、集積したログ情報を一定の単位でサービスプロバイダ１２００に提供する。ここで、データセンタ運営会社１１００が集積した情報を整理してサービスプロバイダ１２００に提供することのできる単位でもいいし、サービスプロバイダ１２００が要求した単位でもいい。一定の単位と記載したが一定でなくてもよく、状況に応じて提供する情報量が変化する場合もある。
【０１０８】
前記ログ情報は、必要に応じてサービスプロバイダ１２００が保有するサーバ１２０１に保存される。そして、サービスプロバイダ１２００は、ログ情報をユーザーに提供するサービスに適合する情報に整理し、ユーザーに提供する。提供するユーザーは、複数のボトル保管器３００のいずれかを使用しているユーザー１００２でもよいし、複数のボトル保管器３００を管理運営しているユーザー１３００であってもよい。ユーザー１３００は、例えば飲食店の管理者である。また、提供するユーザーは、外部のユーザーでもよい。
【０１０９】
ユーザーへのサービスは、例えば、サービスプロバイダ１２００から直接ユーザーに提供されてもよい。また、ユーザーへのサービスは、例えば、データセンタ運営会社１１００のクラウドサーバ１１０１を再度経由して、ユーザーに提供されてもよい。また、データセンタ運営会社１１００のクラウドサーバ１１０１がログ情報をユーザーに提供するサービスに適合する情報に整理し、サービスプロバイダ１２００に提供してもよい。
【０１１０】
なお、ユーザー１００２とユーザー１３００とは、別でも同一でもよい。
【０１１１】
＜４＞実施の形態の効果
以上説明したように、本実施の形態によれば、収容部１０１に収容されたボトル１を撮像する撮像部１０５と、撮像部１０５により得られたボトル１の画像に基づいて、少なくともボトルの銘柄を特定する情報管理部２２３と、を設けたことにより、ラベルの視認性を向上し得、さらには喫飲が楽しくなる喫飲環境を提供し得るボトル保管器１００、２００、３００、７００、９００及びボトル保管器活用システムを実現できる。
【０１１２】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【０１１３】
本開示のボトル保管器は、ボトルを収容する収容部と、前記収容部の周囲に設けられた冷温部と、前記収容部に収容された前記ボトルを回転させる回転部と、前記収容部に収容された前記ボトルを撮像する撮像部と、前記撮像部により得られた前記ボトルの画像に基づいて前記回転部の前記ボトルの回転と前記撮像部の撮像とを制御する制御部と、前記制御部の制御により得られた前記ボトルの画像に基づいて少なくとも前記ボトルの銘柄を特定する情報管理部と、前記情報管理部により特定された前記銘柄及び前記銘柄に関する関連情報の少なくとも１つを出力する出力部と、を備える。これにより、冷却するボトルの銘柄に関する情報をユーザに視認性良く提示することができる。
【０１１４】
また、本開示のボトル保管器において、前記制御部は、前記ボトルの画像における前記ボトルのラベルの映り具合に基づいて前記回転部の前記ボトルの回転を制御し、前記ボトルの回転に応じて前記撮像部の撮像を制御する。これにより、ラベルに着目して回転と撮像を制御することにより、効率よく銘柄を特定できる。
【０１１５】
また、本開示のボトル保管器において、前記制御部は、前記ボトルの画像において前記ボトルのラベルが前記ボトルの銘柄を特定できる程度に映っていない場合、前記回転部に前記ボトルを回転させ、前記ボトルの回転に応じて前記撮像部に前記ボトルを撮像させる。これにより、銘柄を特定できない場合に回転させることにより、回転動作を適正化することができる。
【０１１６】
また、本開示のボトル保管器において、前記ボトルのラベルが前記ボトルの銘柄を特定できる程度に映っているか否かは、前記ラベルの要素の認識の程度、及び前記ラベルのエッジの態様の少なくとも１つに基づいて判定される。これにより、ラベルをより正確に認識できる程度に回転させることができ、回転動作をより適正化することができる。
【０１１７】
また、本開示のボトル保管器において、前記制御部は、前記回転部に所定角度毎に前記ボトルを回転させ、前記撮像部に前記ボトルの所定角度の回転毎に前記ボトルを撮像させ、前記ボトルの所定角度の回転毎に得られる前記ボトルの画像において前記ボトルのラベルが前記ボトルの銘柄を特定できる程度に映っている場合、前記回転部に前記回転部の回転を停止させる。これにより、ラベル正面で止めるので次回以降の認識に回転は不要となる。
【０１１８】
また、本開示のボトル保管器において、前記収容部に収容された前記ボトルを昇降させる昇降部、をさらに備え、前記制御部の制御は、前記昇降部の昇降の制御を含む。これにより、ラベルが撮像領域からボトルの上下方向に外れている場合であってもラベルを認識することができる。
【０１１９】
また、本開示のボトル保管器において、前記制御部は、前記ボトルの画像における前記ボトルのラベルの映り具合に基づいて前記回転部の前記ボトルの回転及び前記昇降部の前記ボトルの昇降を制御し、前記ボトルの回転及び昇降に応じて前記撮像部の撮像を制御する。これにより、ラベルに着目して回転と撮像を制御することにより、効率よく銘柄を特定できる。
【０１２０】
また、本開示のボトル保管器において、前記制御部は、前記ボトルの画像において前記ボトルのラベルが前記ボトルの銘柄を特定できる程度に映っていない場合、前記回転部に前記ボトルを回転させるとともに前記昇降部に前記ボトルを昇降させ、前記ボトルの回転及び昇降に応じて前記撮像部に前記ボトルを撮像させる。これにより、銘柄を特定できない場合に回転させることにより、回転動作を適正化することができる。
【０１２１】
また、本開示のボトル保管器において、複数の銘柄のラベル画像を格納する銘柄データベースを備え、前記情報管理部は、前記撮像部により得られた前記ボトルのラベル画像と、前記銘柄データベースに格納されたラベル画像と、を照合することにより、前記ボトルの銘柄を特定する。
【０１２２】
また、本開示のボトル保管器において、前記出力部は、前記情報管理部によって特定された前記銘柄、及び、特定された前記銘柄に関する関連情報の少なくとも１つを表示する表示部を含む。
【０１２３】
また、本開示のボトル保管器において、前記情報管理部によって特定された前記銘柄、及び、特定された前記銘柄に関する関連情報の少なくとも１つを外部機器に送信する通信部を、さらに備える。
【０１２４】
また、本開示のボトル保管器において、前記収容部に挿入されたボトルに関するログ情報を記憶するログ情報記憶部を、さらに備える。
【０１２５】
また、本開示のボトル保管器において、複数の銘柄のラベル画像を格納する銘柄データベースを備え、前記情報管理部は、前記撮像部により得られた前記ボトルのラベル画像と、前記銘柄データベースに格納されたラベル画像と、を照合することにより、前記ボトルの銘柄を特定し、前記ログ情報記憶部は、少なくとも、前記情報管理部によって特定された前記銘柄を前記ログ情報として記憶する。
【０１２６】
また、本開示のボトル保管器において、ユーザーの前記銘柄に対するお気に入り度を入力可能な操作入力部を、さらに備え、前記ログ情報記憶部は、前記銘柄に紐付けて前記お気に入り度を記憶する。
【０１２７】
また、本開示のボトル保管器において、前記表示部によって表示される前記銘柄に関する関連情報は、少なくとも、マッチする料理、味、蔵元情報、及び、お気に入り度のいずれか一つを含む。
【０１２８】
また、本開示のボトル保管器において、前記通信部によって送信される前記銘柄に関する関連情報は、少なくとも、マッチする料理、味、蔵元情報、及び、お気に入り度のいずれか一つを含む。
【０１２９】
また、本開示のボトル保管器において、湾曲ミラーを、さらに備え、前記撮像部は、前記湾曲ミラーを介して前記ボトルを撮像する。
【０１３０】
また、本開示のシステムは、ボトル保管器と情報処理装置とを備えるシステムであって、前記ボトル保管器は、ボトルを収容する収容部と、前記収容部の周囲に設けられた冷温部と、前記収容部に収容された前記ボトルを回転させる回転部と、前記収容部に収容された前記ボトルを撮像する撮像部と、前記撮像部により得られた前記ボトルの画像を送信し、前記ボトルの画像についての認識結果及び前記ボトルの銘柄に関する関連情報を受信する通信部と、前記認識結果に基づいて前記回転部の前記ボトルの回転と前記撮像部の撮像を制御する制御部と、前記銘柄に関する関連情報を出力する出力部と、を備え、前記情報処理装置は、前記ボトルの画像を受信し、前記認識結果及び前記銘柄に関する関連情報を送信する通信部と、前記ボトルの画像に映る物体を認識し、前記ボトルの画像に基づいて少なくとも前記ボトルの銘柄を特定する情報管理部と、を備える。
【産業上の利用可能性】
【０１３１】
本発明のボトル保管器及びシステムは、冷却するボトルの銘柄に関する情報をユーザーに視認性良く提示することができるといった効果を得ることができ、ワインボトルなどのボトル保管器及びボトル保管器を有するシステムとして好適である。
【符号の説明】
【０１３２】
１  ボトル
１００、２００、３００、７００、９００  ボトル保管器
１０１  収容部
１０２、６０２  表示部
１０２ａ、２０１  通知部
１０３、６０４  操作入力部
１０４  冷温装置
１０５  撮像部
１１６  冷温媒体
１１７  ボトル台
１１８  軸受土台
１４１  音声入出力部
１５１  気泡
２２１、６０３  制御部
２２２  画像解析部
２２３  情報管理部
２２４、４０２  ログ情報記憶部
２２５、４０３  銘柄データベース
２２６  照明部
３０１、６０１  通信部
４００  クラウドサーバ
４０１  保管器管理部
５００  インターネット
６００  情報機器
７０１  回転モーター
７０２  昇降制御部
８０１、８０２  スキャナ
９０１  指紋入力部
９０２  指紋認証部
９０３  湾曲ミラー
【図１Ａ】
2018135152.tif 000003
【図１Ｂ】
2018135152.tif 000004
【図１Ｃ】
2018135152.tif 000005
【図２】
2018135152.tif 000006
【図３】
2018135152.tif 000007
【図４】
2018135152.tif 000008
【図５】
2018135152.tif 000009
【図６】
2018135152.tif 000010
【図７】
2018135152.tif 000011
【図８】
2018135152.tif 000012
【図９】
2018135152.tif 000013
【図１０Ａ】
2018135152.tif 000014
【図１０Ｂ】
2018135152.tif 000015
【図１１Ａ】
2018135152.tif 000016
【図１１Ｂ】
2018135152.tif 000017
【図１２】
2018135152.tif 000018
【図１３】
2018135152.tif 000019
【図１４】
2018135152.tif 000020
【図１５】
2018135152.tif 000021
【図１６】
2018135152.tif 000022
【図１７Ａ】
2018135152.tif 000023
【図１７Ｂ】
2018135152.tif 000024
【図１７Ｃ】
2018135152.tif 000025
【図１７Ｄ】
2018135152.tif 000026
【図１８】
2018135152.tif 000027
【図１９Ａ】
2018135152.tif 000028
【図１９Ｂ】
2018135152.tif 000029
【図１９Ｃ】
2018135152.tif 000030
【図１９Ｄ】
2018135152.tif 000031
【図１９Ｅ】
2018135152.tif 000032
【図１９Ｆ】
2018135152.tif 000033
【図２０Ａ】
2018135152.tif 000034
【図２０Ｂ】
2018135152.tif 000035
【図２０Ｃ】
2018135152.tif 000036
【図２１】
2018135152.tif 000037
【図２２】
2018135152.tif 000038
【図２３】
2018135152.tif 000039
【図２４】
2018135152.tif 000040
【図２５】
2018135152.tif 000041
【図２６】
2018135152.tif 000042
【図２７Ａ】
2018135152.tif 000043
【図２７Ｂ】
2018135152.tif 000044
【図２８】
2018135152.tif 000045
【図２９Ａ】
2018135152.tif 000046
【図２９Ｂ】
2018135152.tif 000047
【図３０】
2018135152.tif 000048
【図３１】
2018135152.tif 000049
【図３２】
2018135152.tif 000050
【図３３】
2018135152.tif 000051
【図３４】
2018135152.tif 000052
【図３５】
2018135152.tif 000053
【図３６】
2018135152.tif 000054
【図３７Ａ】
2018135152.tif 000055
【図３７Ｂ】
2018135152.tif 000056
【図３８】
2018135152.tif 000057
【図３９Ａ】
2018135152.tif 000058
【図３９Ｂ】
2018135152.tif 000059
【図４０】
2018135152.tif 000060
【図４１】
2018135152.tif 000061
【図４２Ａ】
2018135152.tif 000062
【図４２Ｂ】
2018135152.tif 000063
【図４３】
2018135152.tif 000064
【図４４】
2018135152.tif 000065
【図４５Ａ】
2018135152.tif 000066
【図４５Ｂ】
2018135152.tif 000067
【図４５Ｃ】
2018135152.tif 000068
【図４５Ｄ】
2018135152.tif 000069
【図４６】
2018135152.tif 000070
【図４７Ａ】
2018135152.tif 000071
【図４７Ｂ】
2018135152.tif 000072